(57)【要約】【課題】  縦横に配列したときに隣接するスクリーン部材の前後方向の段差や上下方向の段差を容易に調整することができるプロジェクタ装置を提供することである。【解決手段】  スクリーン部材３を保持したスクリーン枠４は、投影装置９を収納した装置本体２に嵌め込み部材により係止され着脱可能に取り付けられる。装置本体２には、スクリーン部材３の前後位置調整を行うための前後位置調整ネジ７が螺着されており、前後位置調整ネジ７の先端部がスクリーン枠４の背面に接して、前後位置調整ネジ７の螺入出によりスクリーン枠４の位置を変化させる。これにより、スクリーン部材３の前後方向の位置を調節する。【選択図】  図１
2005173424.tif 000002
【特許請求の範囲】
【請求項１】
内部に投影装置を収納した装置本体と；
前記投影装置からの画像を投影するスクリーン部材と；
前記スクリーン部材を保持し前記装置本体に嵌め込み部材により係止され着脱可能に取り付けられるスクリーン枠と；
前記装置本体に螺着され先端部が前記スクリーン枠の背面に接して螺入出によりスクリーン枠の位置を変化させ前記スクリーン部材の前後位置調整を行うための前後位置調整ネジと；
を備えたことを特徴とするプロジェクタ装置。
【請求項２】
天井に取り付けられたＬ金具にネジ留めされて前記装置本体を固定するための装置本体取付具と；前記Ｌ金具に螺着され先端部が前記装置本体取付具に接して螺入出により前記装置本体取付具の位置を変化させ前記装置本体の上下位置調整を行うための上下位置調整ネジと；
を備えたことを特徴とする請求項１記載のプロジェクタ装置。
【請求項３】
前記スクリーン部材は、光を透過する前面板とフレネルスクリーンとの間にレンチキュラースクリーンを挟み込んで形成したことを特徴とする請求項１または２のいずれか一記載のプロジェクタ装置。
【請求項４】
前記スクリーン部材と前記投影装置との間に設けられ、測光調整時には前記投影装置からの投射光を受光し、通常使用時は前記投影装置からの投射光外へ手動または電動により移動可能な受光センサを備えたことを特徴とする請求項１乃至３のいずれか一記載のプロジェクタ装置。
【請求項５】
前記装置本体内を冷却するための冷却用空気取り入れ口の近傍に、マイナスイオンを発生するマイナスイオン発生装置を配置したことを特徴とする請求項１乃至４のいずれか一記載のプロジェクタ装置。
【請求項６】
請求項１乃至請求項５のいずれか一記載のプロジェクタ装置と；
このプロジェクタ装置を複数個配列して収納している筐体と；
プロジェクタ装置のスクリーン部材に表示させる映像の映像信号を発生させる映像信号発生装置と；
映像信号発生装置の映像信号を各プロジェクタ装置に割り当てて送出するように構成された映像信号処理装置と；
を具備していることを特徴とする大型映像装置。
【発明の詳細な説明】
【技術分野】
【０００１】
本発明は、投影装置を用いて画像や文字情報をスクリーンに投影して映像するプロジェクタ装置および大型映像装置に関する。
【背景技術】
【０００２】
プロジェクタ装置は、フレネルレンズスクリーンおよびレンチキュラースクリーンなどを重ね合わせたスクリーン部材を設け、このスクリーン部材の背面に向かって投影装置から映像や文字などを投影し、スクリーン部材の前面に映像等を写すものである。
【０００３】
このようなプロジェクタ装置を縦横に配列したときに、各プロジェクタ装置のスクリーン部材間の隙間が可能な限り最小にすることが行われている（例えば特許文献１参照）。また、隣接するプロジェクタ装置のスクリーン部材に段差を生じないように、フレームの縦杵にシャフトを進退可能に転結し、シャフトの基端にネジ部を突接して、そのネジ部を縦杵に挿通しナットの位置を調整して締め付け固定するようにしたものがある（特許文献２参照）。
【特許文献１】特開２０００−１６２７０９号公報（図２、図３）
【特許文献２】特許第３０２６６９１号公報（［００３３］、［００３４］）
【発明の開示】
【発明が解決しようとする課題】
【０００４】
しかし、従来のものでは装置本体にスクリーン部材を取付具により固定するものであるので、隣接するプロジェクタ装置のスクリーン部材に段差が生じている場合には、取付具を調整する必要がある。
【０００５】
また、装置本体とスクリーン部材とを嵌め込み部材により係止するようにしたプロジェクタ装置では、装置本体のスクリーン部材との結合面の枠組みにシムを貼り、スクリーン部材の映像面の前後位置調整を行っている。すなわち、シムの枚数でスクリーン部材の前後位置調整を行っているので、シム一枚の厚さにより微調整の範囲が限られるので調整が難しく、シムの貼り剥がしが多くなり調整に時間がかかってしまう。
【０００６】
一方、天井吊り下げ式のプロジェクタ装置を横方向に配置した場合のスクリーン部材の上下方向の位置調整は、装置本体を取り付けるための取付金具を調整することにより位置合わせを行うことになるので、調整の度にプロジェクタ装置の装置本体を取り外さなければならない。したがって、位置調整の作業の負担が大きい。
【０００７】
本発明の目的は、縦横に配列したときに隣接するスクリーン部材の前後方向の段差や上下方向の段差を容易に調整することができるプロジェクタ装置および大型映像装置を提供することである。
【課題を解決するための手段】
【０００８】
請求項１の発明に係わるプロジェクタ装置は、内部に投影装置を収納した装置本体と；前記投影装置からの画像を投影するスクリーン部材と；前記スクリーン部材を保持し前記装置本体に嵌め込み部材により係止され着脱可能に取り付けられるスクリーン枠と；前記装置本体に螺着され先端部が前記スクリーン枠の背面に接して螺入出によりスクリーン枠の位置を変化させ前記スクリーン部材の前後位置調整を行うための前後位置調整ネジと；を備えたことを特徴とする。
【０００９】
本発明及び以下の発明において、特に指定しない限り用語の定義および技術的意味は以下による。装置本体は、投影装置を収納すると共にスクリーン部材が取り付けられ、スクリーン部材に投影装置からの画像や文字情報を投影する。投影装置は光源を有し画像変換装置の背面から光を照射して、画像変換装置で変換された画像や文字情報をスクリーン部材に投影する。光源は白色光を出射するものであり、例えば各種の放電灯が使用される。画像変換装置は、画像制御信号により白色光を色別に画像や文字情報に変換するものであり、例えば液晶パネルが用いられるが、白色光を三原色ＲＧＢからなる画像や文字情報に変換できるものであれば何でも良い。
【００１０】
スクリーン部材は、投影装置からの画像や文字情報を映像するものであり、透光性部材で形成される。透光性部材は、例えばアクリル樹脂で形成される。そして、スクリーン部材は、少なくとも２種類以上の透光性部材を積層して形成され、例えば、フレネルレンズスクリーンを投影装置側に設置し、レンチキュラースクリーンを外側に設置して形成される。フレネルスクリーンとレンチキュラースクリーンとの２枚構成の場合には、レンチキュラースクリーンには拡散材を混入して、このレンチキュラースクリーン上に投影装置から投射した映像を結像させる  
スクリーン枠はスクリーン部材を保持し、装置本体に嵌め込み部材により係止され着脱可能に取り付けられる。スクリーン枠は枠本体に枠板が固定されて形成され、枠板には粘着テープによりスクリーン部材が取り付けられる。嵌め込み部材は係止手段と被係止手段とからなり、係止手段または被係止手段のいずれか一方がスクリーン枠の枠本体に取り付けられる。
【００１１】
前後位置調整ネジは、先端部がスクリーン枠の背面側に向くように装置本体の枠組みに装置本体内側から螺着される。そして、前後位置調整ネジを回転させることにより、前後位置調整ネジをスクリーン枠の背面側に螺入出させ、その先端部がスクリーン枠の背面に接する押圧力を調節する。これにより、スクリーン枠の位置を変化させ、スクリーン部材の前後位置調整を行う。
【００１２】
本発明によれば、先端部がスクリーン枠の背面に接して螺入出によりスクリーン枠の位置を変化させてスクリーン部材の前後位置調整を行うための前後位置調整ネジを装置本体に螺着させたので、スクリーン部材の調整が容易に行える。また、前後位置調整ネジは装置本体と一体になった調整治具であり、スクリーン枠を装置本体に取り付けるための嵌め込み部材とは別に設けているので、適正にスクリーン部材の位置調整ができ、調整のための作業時間も短縮できる。
【００１３】
請求項２の発明に係わるプロジェクタ装置は、請求項１の発明において、天井に取り付けられたＬ金具にネジ留めされて前記装置本体を固定するための装置本体取付具と；前記Ｌ金具に螺着され先端部が前記装置本体取付具に接して螺入出により前記装置本体取付具の位置を変化させ前記装置本体の上下位置調整を行うための上下位置調整ネジと；を備えたことを特徴とする。
【００１４】
本発明は、天井吊り下げ式のプロジェクタ装置を天井面に取り付ける際のものである。装置本体取付具は装置本体の上部に設けられ、天井に取り付けられたＬ金具と係合し、ネジ留めされて装置本体を固定する。その固定に先立ち、上下位置調整ネジで装置本体の取付位置を調整する。上下位置調整ネジは、先端部が装置本体の装置本体取付具の背面側に向くようにＬ金具に螺着される。そして、上下位置調整ネジを回転させることにより、上下位置調整ネジを装置本体取付具の背面側に螺入出させ、その先端部が装置本体取付具の背面に接する押圧力を調節する。これにより、装置本体の取付位置を変化させ、スクリーン部材の上下位置調整を行う。
【００１５】
本発明によれば、上下位置調整ネジの先端部が装置本体取付具の背面に接して螺入出により装置本体の取付位置を変化させてスクリーン部材の上下位置調整を行うので、スクリーン部材の調整が容易に行える。また、上下位置調整ネジは装置本体と一体になった調整治具であり、Ｌ金具に装置本体を取り付けるための取付ネジとは別に設けているので、適正にスクリーン部材の位置調整ができ、調整のための作業時間も短縮できる。
【００１６】
請求項３の発明に係わるプロジェクタ装置は、請求項１または２のいずれか一の発明において、前記スクリーン部材は、光を透過する前面板とフレネルスクリーンとの間にレンチキュラースクリーンを挟み込んで形成したことを特徴とする。
【００１７】
本発明は、フレネルスクリーンとレンチキュラースクリーンとの２枚構成のスクリーン部材に対し、外側のレンチキュラースクリーンの前面に前面板を設け、前面板とフレネルスクリーンとの間にレンチキュラースクリーンを挟み込んで形成したものである。
【００１８】
複数のプロジェクタ装置を縦横に配列して、スクリーン部材を繋いで大画面を構成するマルチスクリーンの場合には、フィルムまたは薄い板（板金）等の粘着テープでスクリーン枠にスクリーン部材の側面を接着することになる。
【００１９】
この場合、粘着テープによる接着強度を確保するためには接着面の広い（厚い）スクリーン部材を使用することが望ましいが、レンチキュラースクリーンには結像させるための拡散材が入るので、厚いスクリーン部材を使用すると結像距離（結像面）が広がり、フォーカスのとれていない映像となってしまう。また、レンチキュラースクリーンはその構造上、表裏の仕上げが非対称であるので、平面に仕上げることが難しく平面が保たれていないと画面の歪みとなって現れることがある。
【００２０】
そこで、前面板とフレネルスクリーンとの間にレンチキュラースクリーンを挟み込んで形成し、前面板を設けてレンチキュラースクリーンの平面性を保ち、粘着テープによる接着強度を確保することとした。
【００２１】
本発明によれば、前面板とフレネルスクリーンとの間にレンチキュラースクリーンを挟み込んで形成したので、レンチキュラースクリーンの平面性が保たれるので画面の歪みを防止でき、また、前面板の幅分だけ粘着テープによる接着面を余分に確保できるので、スクリーン部材のスクリーン枠への接着強度を確保できる。
【００２２】
請求項４の発明に係わるプロジェクタ装置は、請求項１乃至３のいずれか一の発明において、前記スクリーン部材と前記投影装置との間に設けられ、測光調整時には前記投影装置からの投射光を受光し、通常使用時は前記投影装置からの投射光外へ手動または電動により移動可能な受光センサを備えたことを特徴とする。
【００２３】
本発明は、複数のプロジェクタ装置を縦横に配列して、スクリーン部材を繋いで大画面を構成するマルチスクリーンの場合に、各々のプロジェクタ装置の輝度や色調の均整度を調整するものである。
【００２４】
プロジェクタ装置は経年劣化などによる輝度低下や色調変化を生じ複数のプロジェクタ装置の輝度や色調の均整度の調整が必要となる。そこで、本発明においては、装置本体内部のスクリーン部材と前記投影装置との間に可動式の受光センサを設け、測光調整時には投影装置からの投射光が当たる位置に受光センサを移動させて投影装置からの光を受光し、通常使用時は投影装置からの投射光が当たらない位置へ受光センサを移動させて投影装置からの光を遮るのを防止する。受光センサの移動は手動または電動で行われる。
【００２５】
本発明によれば、プロジェクタ装置の内部に受光センサを配置し、輝度や色調の均整度の調整の際には投影装置からの光を受光し、通常使用時は投影装置からの投射光が当たらない位置へ受光センサを移動させて投影装置からの光を遮るのを防止するので、輝度や色調の均整度の調整のためのカメラを外部に設置することが不要となる。
【００２６】
請求項５の発明に係わるプロジェクタ装置は、請求項１乃至４のいずれか一の発明において、前記装置本体内を冷却するための冷却用空気取り入れ口の近傍に、マイナスイオンを発生するマイナスイオン発生装置を配置したことを特徴とする。
【００２７】
本発明は、マイナスイオン発生装置をプロジェクタ装置内部に配置したものである。マイナスイオンは、空気中に含まれる僅かなマイナスの電気を帯びた物質、例えば、原子、分子または分子集団であり、マイナスイオン発生装置によりマイナスイオンを発生させ、プロジェクタ装置内部で発生したプラスイオンと中和させる。マイナスイオン発生装置は、プロジェクタ装置の冷却用の空気取り入れ口の近傍に設置する。これにより、プロジェクタ装置内部のプラスイオンとの中和の促進が図れる。
【００２８】
本発明によれば、プロジェクタ装置内にマイナスイオン発生装置を設けたので、プロジェクタ装置から発生するプラスイオンを外部に排出することがなくなり、また、余剰のマイナスイオンを外部に排出できるので、プロジェクタ装置内部のプラスイオンによる汚染を防ぎつつ、プロジェクタ装置の設置場所周囲の空間のプラスイオンによる悪化を防ぐことができる。
【００２９】
請求項６の発明に係わる大型映像装置は、請求項１乃至請求項５のいずれか一記載のプロジェクタ装置と；このプロジェクタ装置を複数個配列して収納している筐体と；プロジェクタ装置のスクリーン部材に表示させる映像の映像信号を発生させる映像信号発生装置と；映像信号発生装置の映像信号を各プロジェクタ装置に割り当てて送出するように構成された映像信号処理装置と；を具備していることを特徴とする。
【００３０】
本発明によれば、各々のプロジェクタ装置のスクリーン部材の上下縦横を合わせることができ、請求項１乃至５の効果を有した大型映像装置を提供できる。
【発明の効果】
【００３１】
請求項１の発明によれば、先端部がスクリーン枠の背面に接して螺入出によりスクリーン枠の位置を変化させてスクリーン部材の前後位置調整を行うための前後位置調整ネジを装置本体に螺着させたので、スクリーン部材の調整が容易に行える。また、前後位置調整ネジは装置本体と一体になった調整治具であり、スクリーン枠を装置本体に取り付けるための嵌め込み部材とは別に設けているので、適正にスクリーン部材の位置調整ができ、調整のための作業時間も短縮できる。
【００３２】
請求項２の発明によれば、上下位置調整ネジの先端部が装置本体取付具の背面に接して螺入出により装置本体の取付位置を変化させてスクリーン部材の上下位置調整を行うので、スクリーン部材の調整が容易に行える。また、上下位置調整ネジは装置本体と一体になった調整治具であり、Ｌ金具に装置本体を取り付けるための取付ネジとは別に設けているので、適正にスクリーン部材の位置調整ができ、調整のための作業時間も短縮できる。
【００３３】
請求項３の発明によれば、前面板とフレネルスクリーンとの間にレンチキュラースクリーンを挟み込んで形成したので、レンチキュラースクリーンの平面性が保たれるので画面の歪みを防止でき、また、前面板の幅分だけ粘着テープによる接着面を余分に確保できるので、スクリーン部材のスクリーン枠への接着強度を確保できる。
【００３４】
請求項４の発明によれば、プロジェクタ装置の内部に受光センサを配置し、輝度や色調の均整度の調整の際には投影装置からの光を受光し、通常使用時は投影装置からの投射光が当たらない位置へ受光センサを移動させて投影装置からの光を遮るのを防止するので、輝度や色調の均整度の調整のためのカメラを外部に設置することが不要となる。
【００３５】
請求項５の発明によれば、プロジェクタ装置内にマイナスイオン発生装置を設けたので、プロジェクタ装置から発生するプラスイオンを外部に排出することがなくなり、また、余剰のマイナスイオンを外部に排出できるので、プロジェクタ装置内部のプラスイオンによる汚染を防ぎつつ、プロジェクタ装置の設置場所周囲の空間のプラスイオンによる悪化を防ぐことができる。
【００３６】
請求項６の発明によれば、各々のプロジェクタ装置のスクリーン部材の上下縦横を合わせることができ、請求項１乃至５の効果を有した大型映像装置を提供できる。
【発明を実施するための最良の形態】
【００３７】
以下、本発明の一実施の形態について図面を参照して説明する。まず、本発明の第１の実施の形態について説明する。図１〜図４は、本発明の第１の実施の形態を示し、図１はプロジェクタ装置の分解斜視図、図２はプロジェクタ装置の側面断面図、図３はスクリーン枠の分解斜視図、図４は前後位置調整ネジの説明図である。
【００３８】
図１に示すように、プロジェクタ装置１の装置本体２の開口部にはスクリーン部材３を保持したスクリーン枠４が取り付けられる。スクリーン枠４には嵌め込み部材の一部をなす係止手段５が設けられ、装置本体２に設けられた被係止手段６に嵌め込まれてスクリーン枠４を装置本体２に着脱可能に取り付けられるようになっている。すなわち、嵌め込み部材は係止手段５および被係止手段６とから構成され、係止手段５が被係止手段６に保持されることによりスクリーン枠４は装置本体２に取り付けられる。なお、図１では係止手段５をスクリーン枠４に設け被係止手段６を装置本体２に設けたが、逆に係止手段５を装置本体２に設け被係止手段６をスクリーン枠４に設けるようにしてもよい。
【００３９】
また、装置本体２の枠組みには前後位置調整ネジ７が設けられている。この前後位置調整ネジ７は、先端部がスクリーン枠４の背面側に向くように装置本体２の枠組みに装置本体内側から螺着されている。そして、前後位置調整ネジ７を回転させることにより、前後位置調整ネジ７をスクリーン枠４の背面側に螺入出させ、その先端部がスクリーン枠４の背面に接する押圧力を調節することにより、装置本体２に取り付けられたときのスクリーン枠４の位置を変化させ、スクリーン部材３の前後位置調整を行う。なお、装置本体２内には後述の投影装置が設置されており、その投影装置からの光を反射する反射板８からの光がスクリーン部材３の背面から投影される。
【００４０】
図２はプロジェクタ装置の側面断面図であり、装置本体２内には投影装置９が設置されており、投影装置９からの光は反射板８で反射されてスクリーン部材３の背面に入射される。前後位置調整ネジ７は反射板８の反射光の光路を遮らない位置に設けられている。投影装置９は、水銀ランプなどの光源の放射光を液晶板に照射させ、液晶板を通過した光を映像や文字などの情報として出射する。この出射された映像や文字などの情報は、反射板８により反射されてスクリーン部材３の背面に投影される。この結果、スクリーン部材３の前面に映像や文字などの情報が写し出される。
【００４１】
また、装置本体２内にはマイナスイオン発生装置１８が配置されている。マイナスイオン発生装置１８はマイナスイオンを発生するものであり、プロジェクタ装置の冷却用の空気取り入れ口の近傍に設置されている。図２では熱を発生する投影装置９の近傍に冷却用の空気取り入れ口が設置されるので、投影装置９の近傍にマイナスイオン発生装置１８が設置された場合を示している。マイナスイオン発生装置１８が発生するマイナスイオンは、空気中に含まれる物質、例えば、原子、分子または分子集団に僅かなマイナスの電気を帯電させたものであり、プロジェクタ装置１の装置本体２内部で発生したプラスイオンと中和させる。マイナスイオン発生装置１８は、冷却用の空気取り入れ口の近傍に設置されるので、プロジェクタ装置内部のプラスイオンとの中和の促進が図れる。
【００４２】
次に、スクリーン部材３は、光を透過する前面板３ａとフレネルスクリーン３ｂとの間にレンチキュラースクリーン３ｃを挟み込んで形成されている。すなわち、フレネルスクリーン３ｂとレンチキュラースクリーン３ｃとの２枚構成のスクリーン部材３に対し、外側のレンチキュラースクリーン３ｃの前面に前面板３ａを設け、前面板３ａとフレネルスクリーン３ｂとの間にレンチキュラースクリーン３ｃを挟み込んで形成され、粘着テープ１０でスクリーン枠４に取り付けられている。
【００４３】
前面板３ａは、例えば透光性のアクリル樹脂からなり、フレネルレンズスクリーン３ｂおよびレンチキュラーレンズスクリーン３ｃは、例えば透光性のＰＭＭＡ（ポリメタクリル酸メチル）樹脂で成形されている。前面板３ａは、スクリーン部材３の機械的強度を確保するとともにレンチキュラースクリーン３ｃを背面に保つために設けられている。これは、レンチキュラースクリーン３ｃは、その構造上、表裏の仕上げが非対称であり、平面に仕上げることが難しく平面が保たれていないと画面の歪みとなって現れることがあるので、それを防止するためである。また、レンチキュラースクリーン３ｃには結像させるための拡散材が入るので薄く形成することが望ましく、薄くした場合にはスクリーン部材３のスクリーン枠４への取付のための粘着テープ１０の幅が小さくなり接着強度が小さくなるので、それを防止するためである。
【００４４】
このように、レンチキュラースクリーン３ｃの前面に、前面板３ａを設けてレンチキュラースクリーン３ｃの平面性を保つことにより画面の歪みを防止し、また、前面板３ａの幅分だけ粘着テープ１０による接着面を余分に確保してスクリーン部材３のスクリーン枠４への接着強度を確保している。
【００４５】
スクリーン枠４は、図３に示すように、所定の幅を有して外形が４角形状に形成された枠本体１１および段差を有して２面状に形成された４枚の枠板１２ａ〜１２ｄから構成されている。そして、枠本体１１の内面には、ボルト１３が溶接等により立設され、枠板１２ａ〜１２ｄには、ボルト１３が挿通される切り欠き１４が形成されている。そして、枠板１２ａ〜１２ｄは、切り欠き１４にボルト１３を挿通させ、ボルト１３にナット１５を螺合させて締め付けることにより、枠本体１１に取り付けられている。そして、枠板１２ａ〜１２ｄの内面に係止手段５が設けられる。
【００４６】
図４は前後位置調整ネジ７の説明図である。図４（ａ）は前後位置調整ネジ７によりスクリーン枠４に押圧している状態図である。装置本体２の結合部となる装置本体枠組みに装置本体２の内側から前後位置調整ネジ７を差し込み回転させる。これにより、前後位置調整ネジ７は装置本体２を基点として螺入し、前後位置調整ネジ７の先端部（ネジ底面）がスクリーン枠４に接する位置まで螺入する。そして、前後位置調整ネジ７の螺入によりスクリーン枠４への押圧力が強くなりスクリーン枠４を前方に押し出し、一方、前後位置調整ネジ７の螺出により押圧力を弱めてスクリーン枠４の装置本体側２へに移動を可能とする。これのようにしてスクリーン部材３の位置調整を行う。また、装置本体２に前後位置調整ネジ７を差し込んだとき、前後位置調整ネジ７と装置本体２との間にあそびが生じるため、前後位置調整ネジ７にバネ１６を取り付け微調整を行い易くしている。
【００４７】
図４（ｂ）は前後位置調整ネジ７の斜視図である。前後位置調整ネジ７のネジ頭部の平面部にマーク１７ａをつけて前後位置調整ネジ７の裏側からネジの螺入出位置が分かるようにしている。また、前後位置調整ネジ７のネジ頭部の側面部にもマーク１７ｂを付け、横側からもネジの螺入出位置（ネジの回転量・深さ）が分かるようにしている。マーク１７ａ、１７ｂは所定の角度ごと、例えば９０°、６０°、４５°ごとに付ける。また、マーク１７ａ、１７ｂに角度ごとに異なる色をつけるようにしてもよい。これにより、どの方向から見ても前後位置調整ネジ７の螺入出位置が分かる。
【００４８】
第１の実施の形態によれば、先端部がスクリーン枠４の背面に接して螺入出によりスクリーン枠４の位置を変化させてスクリーン部材３の前後位置調整を行うための前後位置調整ネジ７を装置本体２に螺着させたので、スクリーン部材３の調整が容易に行える。また、前後位置調整ネジ７は装置本体２と一体になった調整治具であり、スクリーン枠４を装置本体２に取り付けるための嵌め込み部材とは別に設けているので、適正にスクリーン部材４の位置調整ができ、調整のための作業時間も短縮できる。前後位置調整ネジ７のネジ頭部にはマーク１７ａ、１７ｂを付けているので、前後位置調整ネジ７の螺入出位置が容易に分かる。
【００４９】
また、スクリーン部材３は、前面板３ａとフレネルスクリーン３ｂとの間にレンチキュラースクリーン３ｃを挟み込んで形成したので、レンチキュラースクリーン３ｃの平面性が保たれるので画面の歪みを防止でき、また、前面板３ａの幅分だけ粘着テープ１０による接着面を余分に確保できるので、スクリーン部材３ｂのスクリーン枠４への接着強度を確保できる。
【００５０】
また、プロジェクタ装置１の装置本体２内にマイナスイオン発生装置１８を設けたので、プロジェクタ装置１から発生するプラスイオンを外部に排出することがなくなり、また、余剰のマイナスイオンを外部に排出できるので、プロジェクタ装置１内部のプラスイオンによる汚染を防ぎつつ、プロジェクタ装置１の設置場所周囲の空間のプラスイオンによる悪化を防ぐことができる。
【００５１】
図５は本発明の第２の実施の形態に係わるプロジェクタ装置の説明図であり、図５（ａ）は斜視図、図５（ｂ）は図５（ａ）のＡ部拡大図、図６は図５（ａ）のＢ−Ｂ’線での断面図である。この第２の実施の形態は、図１〜図４に示した第１の実施の形態に対し、天井面への装置本体取付具１９にスクリーン部材３の上下方向の取付位置を調節するための上下位置調整ネジ２０を取り付けたものである。
【００５２】
図５（ａ）に示すように、天井吊り下げ式のプロジェクタ装置１の装置本体２の上部には、装置本体取付具１９が取り付けられており、図６に示すように天井面に取り付けられたＬ金具２１と係合して装置本体取付具１９がＬ金具２１に取付ネジ２２で固定されるようになっている。図５（ｂ）に示すように、装置本体取付具１９には取付ネジ２２のネジ穴２２ａおよび上下位置調整ネジ２０のネジ穴２０ａがそれぞれ設けられている。
【００５３】
図６に示すように、装置本体２の上部に設けられた装置本体取付具１９は、天井に取り付けられたＬ金具２１と係合し、取付ネジ２２でネジ留めされて装置本体２を固定する。その固定に先立ち、上下位置調整ネジ２０で装置本体２の取付位置を調整する。上下位置調整ネジ２０は、先端部が装置本体２の装置本体取付具１９の背面側に向くようにＬ金具２１に螺着される。そして、上下位置調整ネジ２０を回転させることにより、上下位置調整ネジ２０を装置本体取付具１９の背面側に螺入出させ、その先端部が装置本体取付具１９の背面に接する押圧力を調節する。これにより、装置本体２の取付位置を変化させ、スクリーン部材３の上下位置調整を行う。
【００５４】
第２の実施の形態によれば、上下位置調整ネジ２０の先端部が装置本体取付具１９の背面に接して螺入出により装置本体２の取付位置を変化させてスクリーン部材３の上下位置調整を行うので、スクリーン部材３の調整が容易に行える。また、上下位置調整ネジ２０は装置本体２と一体になった調整治具であり、Ｌ金具２１に装置本体を取り付けるための取付ネジ２２とは別に設けているので、適正にスクリーン部材３の位置調整ができ、調整のための作業時間も短縮できる。
【００５５】
図７は本発明の第３の実施の形態に係わるプロジェクタ装置の説明図であり、図７（ａ）はプロジェクタ装置１の上部切欠平面図、図７（ｂ）は測光調整時の受光センサの配置位置の説明図である。この第３の実施の形態は、図１〜図４に示した第１の実施の形態または図５および図６に示した第２の実施の形態に対し、スクリーン部材３と投影装置９との間に測光調整用の受光センサ２３を設けたものである。
【００５６】
複数のプロジェクタ装置１を縦横に配列して、スクリーン部材を繋いで大画面を構成するマルチスクリーンの場合には、各々のプロジェクタ装置１の輝度や色調の均整度を調整することが必要となる。すなわち、プロジェクタ装置１は経年劣化などによる輝度低下や色調変化を生じ複数のプロジェクタ装置１の輝度や色調の均整度の調整が必要となる。
【００５７】
そこで、第３の実施の形態では、装置本体２内部のスクリーン部材３と投影装置９との間に可動式の受光センサ２３を設け、測光調整時には、図７（ａ）、図７（ｂ）に示すように、投影装置９からの投射光が当たる位置に受光センサ２３を移動させて投影装置２３からの光を受光する。受光センサ２３で測光した光は制御部２４に入力され輝度や色調の均整度のデータ処理が行われる。制御部２４のデータ処理の結果に基づき輝度や色調の調整が行われる。なお、受光センサ２３は手動または電動により可動式となっている。
【００５８】
図８は、通常使用時の受光センサ２３の配置位置を示した状態図であり、図８（ａ）は通常使用時のプロジェクタ装置１の上部切欠平面図、図８（ｂ）は通常使用時の受光センサ２３の配置位置の説明図である。図８（ａ）、図８（ｂ）に示すように、プロジェクタ装置１の通常使用時は投影装置９からの投射光が当たらない位置へ受光センサ２３を移動させて投影装置９からの光を遮るのを防止する。前述のように受光センサ２３の移動は手動または電動で行われる。
【００５９】
図９は、本発明の第４の実施の形態を示す大型映像装置のブロック図である。図９に示す大型映像装置２５は、複数のプロジェクタ装置１、筐体２６、映像信号発生装置２８および映像信号処理装置２９を有して構成されている。筐体２６は、複数個のプロジェクタ装置１を縦横に配列して収納しているものであり、前面に各プロジェクタ装置１のスクリーン部材３により大型のスクリーン２７を形成している。
【００６０】
映像信号発生装置２８は、大型のスクリーン２７に表示させる映像を映像信号（電気信号）として発生させるものである。この映像信号は、プロジェクタ装置１の投影装置９に送出され、液晶板により光源の放射光を透過させたり、遮断させたりすることにより各プロジェクタ装置１のスクリーン部材３に映像（画像）を投影させる。映像信号処理装置２９は、映像信号発生装置２８によって発生されて送出された映像信号を各プロジェクタ装置１に割り当てて、各プロジェクタ装置１の投影装置９に送出するように構成されている。この結果、映像信号発生装置２８における映像が筐体２６の大型スクリーン２７に表示される。
【００６１】
図１０は、本発明の第４の実施の形態を示す大型映像装置２５における受光センサの配置位置の説明図であり、図１０（ａ）は測光調整時の受光センサ２３の配置位置の説明図、図１０（ｂ）は通常使用時の受光センサ２３の配置位置の説明図である。図１０（ａ）、図１０（ｂ）に示すように、隣り合うプロジェクタ装置１の境界に可動式の受光センサ２３を配置し、測光調整時には投影装置９からの投射光を受光し、通常使用時は投影装置９からの投射光外へ移動させ投影装置９からの投射光の妨げとならないようにする。これにより、大型映像装置２５のスクリーンに対しても輝度や色調の均整度の調整のためのカメラを外部に設置することなく、輝度や色調の調整ができる。
【００６２】
第４の実施の形態によれば、各々のプロジェクタ装置１のスクリーン部材３の上下縦横を合わせることができ、輝度や色調の調整も容易に行うことができる大型映像装置２５を提供できる。
【図面の簡単な説明】
【００６３】
【図１】本発明の第１の実施の形態に係わるプロジェクタ装置の分解斜視図。
【図２】本発明の第１の実施の形態に係わるプロジェクタ装置の側面断面図。
【図３】本発明の第１の実施の形態におけるスクリーン枠の分解斜視図。
【図４】本発明の第１の実施の形態における前後位置調整ネジの説明図。
【図５】本発明の第２の実施の形態に係わるプロジェクタ装置の説明図。
【図６】図５（ａ）のＢ−Ｂ’線での断面図。
【図７】本発明の第３の実施の形態に係わるプロジェクタ装置の説明図。
【図８】本発明の第３の実施の形態における通常使用時の受光センサの配置位置を示した状態図。
【図９】本発明の第４の実施の形態を示す大型映像装置のブロック図。
【図１０】本発明の第４の実施の形態を示す大型映像装置における受光センサの配置位置の説明図。
【符号の説明】
【００６４】
１…プロジェクタ装置、２…装置本体、３…スクリーン部材、４…スクリーン枠、５…係止手段、６…被係止手段、７…前後位置調整ネジ、８…反射板、９…投影装置、１０…粘着テープ、１１…枠本体、１２…枠板、１３…ボルト、１４…切り欠き、１５…ナット、１６…バネ、１７…マーク、１８…マイナスイオン発生装置、１９…装置本体取付具、２０…上下位置調整ネジ、２１…Ｌ金具、２２…取付ネジ、２３…受光センサ、２４…制御部、２５…大型映像装置、２６…筐体、２７…スクリーン、２８…映像信号発生装置、２９…映像信号処理装置
【図１】
2005173424.tif 000003
【図２】
2005173424.tif 000004
【図３】
2005173424.tif 000005
【図４】
2005173424.tif 000006
【図５】
2005173424.tif 000007
【図６】
2005173424.tif 000008
【図７】
2005173424.tif 000009
【図８】
2005173424.tif 000010
【図９】
2005173424.tif 000011
【図１０】
2005173424.tif 000012